(57)【要約】【課題】従来の遠隔操作用ユーザインターフェースシステムでは、被操作装置を操作装置で操作をするために、被操作装置に操作装置用のＨＴＭＬなどで記述されたユーザインターフェースファイルを用意する必要があるとともに、操作装置にＵＩ画面を構成するためのブラウザを用意する必要があった。【解決手段】操作装置１００から発信される操作情報を、表示装置２００と情報記録装置３００を介して被操作装置４００へ伝達するとともに、情報記録装置３００で決定されたフレームレートで圧縮動画にエンコードされた被操作装置４００のユーザインターフェース画面を、情報記録装置３００でデコードして表示装置２００で表示する。【選択図】図１
2008206005.tif 000002
【特許請求の範囲】
【請求項１】
ユーザからの操作に対応した操作情報を発信する操作装置と、
前記操作装置からの操作情報を受信する操作情報受信部と、
映像を表示する第１の表示部と、
前記操作情報受信部が受信した操作情報を外部へ出力する出力部とを備えた表示装置と、
前記出力部から出力される操作情報に係わる信号を標準的な通信プロトコルに従って変換する制御信号変換部と、
圧縮された動画をデコードするデコーダ部とを備えた情報記録装置と、
前記制御信号変換部で変換された操作情報を命令コードへ変換する操作情報変換部と、
前記操作情報変換部からの命令コードに従い、ユーザインターフェース画面を遷移させる画面遷移部と、
前記画面遷移部で遷移されたユーザインターフェース画面を表示する第２の表示部と、
前記第２の表示部に表示されるユーザインターフェース画面を圧縮された動画にエンコードする第２のエンコーダ部とを備えた被操作装置とを備え、前記第２のエンコーダ部の出力が前記デコーダ部でデコードされ、前記第１の表示部に表示されることを特徴とするＡＶセキュリティシステム。
【請求項２】
前記情報記録装置は、前記デコード部でデコードされた信号を再エンコードする第１のエンコーダ部をさらに備え、前記第１のエンコーダ部が、前記第２のエンコーダ部の出力を前記デコーダ部でデコードした出力のフレーム間の差分情報を基にフレームレートを決定し、前記第２のエンコーダ部が、前記第１のエンコーダ部が決定したフレームレートで、前記第２の表示部に表示されるユーザインターフェース画面をエンコードすることを特徴とする、請求項１に記載のＡＶセキュリティシステム。
【請求項３】
ユーザからの操作に対応した操作情報を発信する操作装置と、
前記操作装置からの操作情報を受信する操作情報受信部と、
映像を表示する第１の表示部と、
前記操作情報受信部が受信した操作情報を外部へ出力する出力部とを備えた表示装置と、
前記出力部から出力される操作情報に係わる信号を標準的な通信プロトコルに従って変換する制御信号変換部と、
圧縮された動画をデコードするデコーダ部とを備えた情報記録装置と、
前記制御信号変換部で変換された操作情報を命令コードへ変換し、外部へ出力する操作情報変換部と、
外部から入力された映像信号を圧縮された動画にエンコードする第２のエンコーダ部とを備えた変換装置と、
前記変換装置で変換された命令コードに従い、ユーザインターフェース画面を遷移させる画面遷移部と、
前記画面遷移部で遷移されたユーザインターフェース画面を表示する第２の表示部とを備えた被操作装置と、
前記第２のエンコーダ部の出力が前記デコーダ部でデコードされ、前記第１の表示部に表示されることを特徴とするＡＶセキュリティシステム。
【請求項４】
前記情報記録装置は、前記デコード部でデコードされた信号を再エンコードする第１のエンコーダ部をさらに備え、前記第１のエンコーダ部が、前記第２のエンコーダ部の出力を前記デコーダ部でデコードした出力のフレーム間の差分情報を基にフレームレートを決定し、前記第２のエンコーダ部が、前記第１のエンコーダ部が決定したフレームレートで、前記第２の表示部に表示されるユーザインターフェース画面をエンコードすることを特徴とする、請求項３に記載のＡＶセキュリティシステム。
【請求項５】
ユーザからの操作に対応した操作情報を発信する操作装置と、
前記操作装置からの操作情報を受信する操作情報受信部と、
映像を表示する第１の表示部と、
前記操作情報受信部が受信した操作情報を外部へ出力する出力部とを備えた表示装置と、
前記出力部から出力される操作情報に係わる信号を標準的な通信プロトコルに従って変換する制御信号変換部と、
圧縮された動画をデコードするデコーダ部とを備えた情報記録装置と、
前記制御信号変換部で変換された操作情報を命令コードへ変換する操作情報変換部と、
前記操作情報変換部からの命令コードに従い、ユーザインターフェース画面を遷移させる画面遷移部と、
前記画面遷移部で遷移されたユーザインターフェース画面を表示する第２の表示部と、
前記第２の表示部に表示されるユーザインターフェース画面を圧縮された動画にエンコードするエンコーダ部とを備えた被操作装置と、
前記エンコーダ部の出力が前記デコーダ部でデコードされ、前記第１の表示部に表示されることを特徴とするＡＶセキュリティシステム。
【請求項６】
前記エンコーダ部の出力のフレーム間の差分情報を基に前記デコーダ部がフレームレートを決定し、前期エンコーダ部が、前記デコーダ部が決定したフレームレートで、前記第２の表示部に表示されるユーザインターフェース画面をエンコードすることを特徴とする、請求項５に記載のＡＶセキュリティシステム。
【請求項７】
ユーザからの操作に対応した操作情報を発信する操作装置と、
前記操作装置からの操作情報を受信する操作情報受信部と、
映像を表示する第１の表示部と、
前記操作情報受信部が受信した操作情報を外部へ出力する出力部とを備えた表示装置と、
請求項３に記載の情報記録装置と、
請求項２に記載の変換装置と、
請求項２に記載の被操作装置と、
前記変換装置のエンコーダ部の出力が前記情報記録装置のデコーダ部でデコードされ、前記第１の表示部に表示されることを特徴とするＡＶセキュリティシステム。
【請求項８】
前記エンコーダ部の出力のフレーム間の差分情報を基に前記デコーダ部がフレームレートを決定し、前期エンコーダ部が、前記デコーダ部が決定したフレームレートで、前記被操作装置の第２の表示部に表示されるユーザインターフェース画面をエンコードすることを特徴とする、請求項７に記載のＡＶセキュリティシステム。
【請求項９】
ユーザインターフェース画面を表示する表示部と、
外部から入力された操作情報を命令コードへ変換する操作情報変換部と、
前記操作情報変換部からの命令コードに従い、ユーザインターフェース画面を遷移させる画面遷移部と、
映像信号をエンコードするエンコーダ部とを備えた被操作装置であって、
前記エンコーダ部が、ユーザインターフェース画面を動画にエンコードする機能と、エンコードする際に動画のフレームレートを増減させる機能とを有することを特徴とする被操作装置。
【請求項１０】
外部から入力された制御信号を標準的な通信プロトコルに従って変換する制御信号変換部と、
圧縮された動画をデコードするデコーダ部とを備えた情報記録装置であって、
圧縮された動画のフレーム間の差分をデコーダ部が抽出する機能を有することを特徴とする情報記録装置。
【請求項１１】
外部から入力された制御信号を標準的な通信プロトコルに従って変換する制御信号変換部と、
圧縮された動画をデコードするデコーダ部と、
映像信号をエンコードするエンコーダ部とを備えた情報記録装置であって、
前記エンコーダ部が、前記デコーダ部でデコードされた信号を再エンコードする際にフレーム間の差分情報を抽出する機能を有することを特徴とする情報記録装置。
【発明の詳細な説明】
【技術分野】
【０００１】
本発明は、通信手段で接続された装置間におけるＡＶセキュリティシステムに関する。
【背景技術】
【０００２】
宅内で別の部屋にあるなど、離れた場所にある機器を制御する場合、赤外線を利用したリモコンからの操作情報が届かないばかりでなく、操作の対象としている機器がどのような状態にあるのかを知ることができない。
【０００３】
このような問題点を解消するために、ＩＰネットワーク等の情報伝達手段を介して被操作装置（例えば、プリンタ）から送信された表示要求ランクに対して、表示装置であるテレビが表示能力に合わせたランクを応答し、被操作装置から送信されたテレビの表示能力に応じたユーザインターフェースをテレビで表示するとともに、表示釦と操作キーの対応付け情報を基にリモコンからの機器制御情報を被操作装置へ送信するユーザインターフェースシステムが提案されている（特許文献１参照）。
【０００４】
また、ネットワークを介して他機器を操作する場合、ネットワーク資源の使用状況によって、機器の状態変化を示す映像情報をエンコードする方式を切り替え、操作側で状態変化確認までの時間遅延を縮小するような機器制御方法が提案されている（特許文献２参照）。
【特許文献１】特開２００４−２０１２１５号公報
【特許文献２】特開２００５−２０４６３号公報
【発明の開示】
【発明が解決しようとする課題】
【０００５】
従来の遠隔操作用ユーザインターフェースシステムでは、被操作装置（例えば、テレビドアホン）を操作装置（例えば、テレビ用リモコン）で操作をするために、被操作装置に操作装置用のＨＴＭＬなどで記述されたユーザインターフェースファイルを用意する必要があるとともに、操作装置にＵＩ画面を構成するためのブラウザを用意する必要があった。
【０００６】
本発明はこのような問題に鑑みたものであり、物理的に離れた操作機器からＩＰネットワーク経由で被操作機器を操作する場合に、前述の課題を生じることなく容易に実現可能な情報記録装置、被操作装置およびＡＶセキュリティシステムを提供することである。
【課題を解決するための手段】
【０００７】
上記目的を達成するために、本発明のＡＶセキュリティシステムは操作装置、表示装置、情報記録装置、被操作装置から成る構成としたものである。
【０００８】
上記情報記録装置は、動画のデコード機能および制御信号線からの制御信号をＩＰネットワーク上へ送出する機能を有する装置であればいかなるものでもよい。具体的には、例えばＤＶＤレコーダ、ＰＣ等を使用することができる。
【０００９】
上記被操作装置は、ＩＰネットワークからの操作情報に対応して自身を制御する機能と、自らのユーザインターフェース画面を動画にしてＩＰネットワーク上へ創出する機能を有する装置であればいかなるものでもよい。具体的には、例えばテレビ、テレビドアホン等を使用することができる。
【００１０】
本発明では、情報記録装置は制御信号を送信するものであり、その内容を解釈するものではない。その内容は被操作装置において解釈される。ここで、操作装置、表示装置、情報記録装置はそれぞれ別々の機器である必要はなく、例えば、表示装置に操作装置が組み込まれたものや、情報記録装置に表示装置が組み込まれたものでもよい。
【発明の効果】
【００１１】
上記のように構成された本発明のＡＶセキュリティシステムでは、操作装置からの操作情報を被操作装置に伝え、被操作装置のユーザインターフェース画面の動画を表示装置で表示することで、表示装置や情報記録装置では、例えばＨＴＭＬファイルで記述されたユーザインターフェース画面を表示するためのブラウザを搭載せずとも遠隔操作が可能となる。
【００１２】
また、メニュー画面など、ユーザからの操作が無い限り表示内容に変化の無いような画面を伝送する際には、フレーム間の差分により圧縮動画のフレームレートを落とすことで、ネットワーク資源の節約や、被操作装置の負荷の軽減が可能となる。
【発明を実施するための最良の形態】
【００１３】
（実施の形態１）
図１は、本発明の実施の形態１に係る操作情報を送信するリモコン１００、映像を表示するテレビ２００、情報記録装置であるＨＤＤ／ＤＶＤレコーダ３００、および被操作装置であるテレビドアホン４００のブロック構成を示す図である。
【００１４】
図１に示されるように、リモコン１００からテレビ２００へは操作情報を含む赤外線を出力する。また、テレビ２００とＨＤＤ／ＤＶＤレコーダ３００では制御信号線、映像信号線を介して制御信号、映像信号が通信される。ＨＤＤ／ＤＶＤレコーダ３００とテレビドアホン４００はＩＰネットワークを介して通信を行う。なお、リモコン１００から操作情報を発信する手段としては、赤外線以外の無線通信手段や有線通信手段を用いてもよい。また、テレビ２００とＨＤＤ／ＤＶＤレコーダ３００をつなぐ信号線は、制御信号と映像信号を送信できればよく、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）やＩＰネットワークでもかまわない。
さらにまた、ＨＤＤ／ＤＶＤレコーダ３００とテレビドアホン４００の通信手段であるＩＰネットワークは有線および無線いずれの方式であってもよい。
【００１５】
リモコン１００は、ユーザからの入力に対応した操作情報を赤外線で発信する。図１に示されるように、テレビ２００は、リモコン１００の操作情報発信部１０１から発信された操作情報を操作情報受信部２０１で受信し、出力部２０３で受信した操作情報を制御信号に変換して制御信号線へ出力する機能を有する。また、テレビ２００は、映像信号線から受信した映像信号に従って映像を表示部２０２で表示する。なお、ユーザは、リモコン１００の代わりにテレビ２００本体に装備された操作部（図示せず）を操作してもよい。
【００１６】
ＨＤＤ／ＤＶＤレコーダ３００はテレビ２００から出力された操作情報に係わる制御信号を、ＨＴＴＰプロトコルに従って変換する制御信号変換部３０１からＩＰネットワークへ出力する。また、ＩＰネットワークから受信されたＭｏｔｉｏｎ  ＪＰＥＧ動画をデコーダ部３０２でデコードする機能と、デコーダ部３０２でデコードされた映像信号をエンコーダ部３０３でＭＰＥＧ２動画へ再エンコードする機能とを有する。なお、上記説明では通信プロトコルとしてＨＴＴＰプロトコルである場合を説明したが、他の通信プロトコルを用いてもかまわない。また、上記説明においては、エンコーダ部がＭＰＥＧ２動画へ再エンコードする機能を有する場合を記述したが、Ｈ．２６４のような他の圧縮動画へ再エンコードする機能でもよい。
【００１７】
テレビドアホン４００は、ＩＰネットワークを介して、制御信号変換部３０１で変換された操作情報を受信し、操作情報変換部４０１で命令コードへ変換する。命令コードへ変換された操作情報に従い、画面遷移部４０２でユーザインターフェース画面を遷移させ、表示部４０３で表示する。エンコーダ部４０４では、表示部に表示されているユーザインターフェース画面をＭｏｔｉｏｎ  ＪＰＥＧ動画へエンコードし、ＩＰネットワークへ送出する。
【００１８】
エンコーダ部４０４では、ユーザインターフェース画面をエンコードする際のフレームレートを変化させることができる。フレームレートが変化するのは、フレームレートを変化させる旨の命令コードをエンコーダ部４０４が受け取ったときである。
【００１９】
以下、図２〜１０を参照して、本発明の実施の形態１の動作を説明する。図２〜８は本発明の実施の形態１の動作を示すフローチャートである。
【００２０】
まず、ユーザからの操作入力に従い、リモコン１００から操作情報が発信される（図２）。テレビ２００は、リモコン１００から受信した操作情報に係る制御信号を制御信号線へ出力する（図３）。ＨＤＤ／ＤＶＤレコーダ３００は、テレビ２００から受信した操作情報に係る制御信号を操作情報としてＩＰネットワークへ送出する（図４）。テレビドアホン４００では、ＨＤＤ／ＤＶＤレコーダ３００から受信した操作情報に従ってユーザインターフェース画面を遷移させる（図５）。
【００２１】
次に、テレビドアホン３００は、表示されているユーザインターフェース画面をフレームレートｎ（ｆｐｓ）でＭｏｔｉｏｎ  ＪＰＥＧ動画にエンコードし、ＩＰネットワークへ送出する（図６）。テレビドアホン４００からＭｏｔｉｏｎ  ＪＰＥＧ動画を受信したＨＤＤ／ＤＶＤレコーダ３００は、Ｍｏｔｉｏｎ  ＪＰＥＧ動画を映像信号へデコードする。デコードした映像信号をフレームレートｎ（ｆｐｓ）でＭＰＥＧ２動画へエンコードする際にフレーム間の差分情報を取得し、取得した差分情報から、テレビドアホン４００でエンコードする際に用いる新しいフレームレートｍ（ｆｐｓ）を決定する。例えば、フレーム間の差分が無ければフレームレートを下げ（図９）、フレーム間の差分があればフレームレートを上げる（図１０）。決定したフレームレート情報をＩＰネットワークへ送出するとともに、デコードした映像信号を映像信号線へ出力する（図７）。テレビ２００は、ＨＤＤ／ＤＶＤレコーダ３００から受信した映像信号を基に映像を表示する（図８）。このとき、テレビ２００に表示される映像がテレビドアホン４００のユーザインターフェース画面であり、当該画面に従い、ユーザは次の操作を決定する。また、テレビドアホン４００では、ＨＤＤ／ＤＶＤレコーダ３００からのフレームレート情報に従い、表示されているユーザインターフェース画面をエンコードする際のフレームレートがｍ（ｆｐｓ）に変更される。
【００２２】
図１１は上記で説明した、リモコン１００を用いてテレビドアホン４００を操作する遠隔操作の流れを示した図である。
【００２３】
以上説明したように、実施の形態１に係る情報記録装置、被操作装置およびＡＶセキュリティシステムにおいては、ＩＰネットワークを介してテレビドアホン４００のユーザインターフェース画面を動画としてテレビ２００へ伝送することで、新たに専用のＨＴＭＬなどで記述されたユーザインターフェースファイルを用意する必要なく、テレビ２００およびＨＤＤ／ＤＶＤレコーダ３００にユーザインターフェース画面を構成するためのブラウザも用意する必要がない。
【００２４】
また、実施の形態１に係る情報記録装置、被操作装置およびＡＶセキュリティシステムにおいては、動画のフレーム間の差分情報を用いてフレームレートを動的に変更することができる。そのため、例えば、メニュー画面など、ユーザからの操作が無い限り表示内容に変化の無いような画面を動画として伝送する際には、フレームレートを下げることで、ネットワーク資源の節約や、テレビドアホン４００の負荷の軽減が可能となる。
【００２５】
（実施の形態２）
図１２は、本発明の実施の形態２に係る被操作装置であるテレビドアホン６００、および変換装置であるネットワークアダプタ５００のブロック構成を示す図である。テレビドアホン６００、およびネットワークアダプタ５００以外の本発明に係る構成は上記実施の形態１と同じである。
【００２６】
図１２に示されるように、ネットワークアダプタ５００は、ＩＰネットワークを介して受信する操作情報を操作情報変換部５０１で制御信号へ変換し、制御信号線へ出力する。また、エンコーダ部５０２では、映像信号線から入力される映像信号をＭｏｔｉｏｎ  ＪＰＥＧ動画へエンコードし、ＩＰネットワークへ送出する。
【００２７】
上記エンコーダ部５０２では、映像信号をエンコードする際のフレームレートを変化させることができる。フレームレートが変化するのは、フレームレートを変化させる旨の命令コードをエンコーダ部５０２が受け取ったときである。
【００２８】
テレビドアホン６００は、制御信号線から入力される操作情報に従い、画面遷移部６０２でユーザインターフェース画面を遷移させ、表示部６０３で表示するとともに、映像信号を映像信号線へ出力する。
【００２９】
上記実施の形態１に係るテレビドアホン４００の代わりに、図１２に示される操作情報変換部５０１およびエンコーダ部５０２を備えたネットワークアダプタ５００と、画面遷移部４０２と表示部４０３を備えたテレビドアホン４００を用いることでも、実施の形態１と同等の効果を得ることができる。
【００３０】
（実施の形態３）
図１３は、本発明の実施の形態３に係る情報記録装置であるＨＤＤ／ＤＶＤレコーダ７００のブロック構成を示す図である。ＨＤＤ／ＤＶＤレコーダ７００以外の本発明に係る構成は上記実施の形態１と同じである。
【００３１】
図１３に示されるように、ＨＤＤ／ＤＶＤレコーダ７００は、制御信号線から入力される制御信号を、ＨＴＴＰプロトコルに従って変換する制御信号変換部７０１からＩＰネットワークへ出力する。また、ＩＰネットワークから受信されたＭｏｔｉｏｎ  ＪＰＥＧ動画をデコーダ部７０２でデコードする機能を有する。なお、上記説明では通信プロトコルとしてＨＴＴＰプロトコルである場合を説明したが、他の通信プロトコルを用いてもかまわない。
【００３２】
上記デコーダ部７０２はＩＰネットワークから受信されたＭｏｔｉｏｎ  ＪＰＥＧ動画のフレーム間の差分を計算し、計算した差分情報から本発明に係る被操作装置でエンコードする際に用いる新しいフレームレートを決定する機能を有する。
【００３３】
上記実施の形態１に係るＨＤＤ／ＤＶＤレコーダ３００の代わりに、図１３に示される制御信号変換部７０１とエンコーダ部７０２を備えたＨＤＤ／ＤＶＤレコーダ７００を用いることでも、実施の形態１と同等の効果を得ることができる。
【００３４】
（実施の形態４）
上記実施の形態２に係る被操作装置であるテレビドアホン６００、および変換装置であるネットワークアダプタ５００と、上記実施の形態３に係る情報記録装置であるＨＤＤ／ＤＶＤレコーダ７００を、上記実施の形態１におけるテレビドアホン４００と、ＨＤＤ／ＤＶＤレコーダ３００の代わりに用いた構成を実施の形態４（図示せず）とする。上記実施の形態４においても実施の形態１と同等の効果を得ることができる。
【産業上の利用可能性】
【００３５】
本発明にかかるＡＶセキュリティシステムは、動的にフレームレートを変動させたユーザインターフェース画面の動画を転送することによって、テレビドアホンに着信があった場合に、テレビのリモコンからテレビドアホンを操作して訪問者を確認するような用途にも適用できる。
【図面の簡単な説明】
【００３６】
【図１】本発明の実施の形態１に係る操作情報を送信するリモコン、映像を表示するテレビ、情報記録装置であるＨＤＤ／ＤＶＤレコーダ、および被操作装置であるテレビドアホンのブロック構成を示す図
【図２】本発明の実施の形態１に係るリモコンの遠隔操作時における動作を示すフロー−チャート
【図３】実施の形態１に係るテレビの遠隔操作時における動作を示すフローチャート
【図４】実施の形態１に係る情報記録装置であるＨＤＤ／ＤＶＤレコーダの遠隔操作時における動作を示すフローチャート
【図５】実施の形態１に係る被操作装置であるテレビドアホンの遠隔操作時における動作を示すフローチャート
【図６】実施の形態１に係る被操作装置であるテレビドアホンの動画転送時における動作を示すフローチャート
【図７】実施の形態１に係る情報記録装置であるＨＤＤ／ＤＶＤレコーダの動画転送時における動作を示すフローチャート
【図８】実施の形態１に係るテレビの動画転送時における動作を示すフローチャート
【図９】実施の形態１に係るフレームレートを低下させる場合のフレーム間の時間間隔の例を示す図
【図１０】実施の形態１に係るフレームレートを上昇させる場合のフレーム間の時間間隔の例を示す図
【図１１】実施の形態１に係るリモコンを用いてテレビドアホン４００を操作する遠隔操作の流れを示した図
【図１２】本発明の実施の形態２に係る被操作装置であるテレビドアホン６００、および変換装置であるネットワークアダプタ５００のブロック構成を示す図
【図１３】本発明の実施の形態３に係る情報記録装置であるＨＤＤ／ＤＶＤレコーダ７００のブロック構成を示す図
【符号の説明】
【００３７】
１００    操作装置
１０１    操作情報発信部
２００    表示装置
２０１    操作情報受信部
２０２，４０２，６０２    表示部
２０３    出力部
３００，７００    情報記録装置
３０１，７０１    制御信号変換部
３０２，７０２    デコーダ部
３０３，４０４，５０２    エンコーダ部
４００，６００    被操作装置
４０１，５０１    操作情報変換部
４０２，６０１    画面遷移部
５００    変換装置
【図１】
2008206005.tif 000003
【図２】
2008206005.tif 000004
【図３】
2008206005.tif 000005
【図４】
2008206005.tif 000006
【図５】
2008206005.tif 000007
【図６】
2008206005.tif 000008
【図７】
2008206005.tif 000009
【図８】
2008206005.tif 000010
【図９】
2008206005.tif 000011
【図１０】
2008206005.tif 000012
【図１１】
2008206005.tif 000013
【図１２】
2008206005.tif 000014
【図１３】
2008206005.tif 000015